(57)【特許請求の範囲】
【請求項１】
撮影する被写体画像をバックライトの照明を利用して映し出すモニタ手段と、被写体照明を行なうフラッシュ手段とを備え、撮影した被写体画像を記憶媒体に記憶させるカメラにおいて、直流低電圧を発振動作によって昇圧して交番電圧を出力する電圧昇圧手段と、この電圧昇圧手段の出力電圧を上記バックライトの点灯電圧として、また、その出力電圧を整流して上記フラッシュ手段の充電電圧として給電する各回路手段と、フラッシュ手段の充電電圧が所定電圧まで充電されることによる充電停止回路の充電停止動作に応動して上記フラッシュ手段の充電電流を遮断し、フラッシュ手段の充電モ−ドからバックライトの点灯モ−ドに切換えるモ−ド切換手段と、このモ−ド切換手段がバックライトの点灯モ−ドに切換える切換動作に応動して動作状態とする調光手段とを備え、バックライトの点灯モ−ドでの操作部の設定にしたがって上記した電圧昇圧手段の出力電圧レベルを変えてバックライトの明るさを調光する構成としたことを特徴とするカメラのモニタとフラッシュの給電装置。
【発明の詳細な説明】
【０００１】
【発明の属する技術分野】
この発明は、モニタ用のバックライトの給電とフラッシュ装置の充電とを一つの電源回路によって行なう構成としたカメラの給電装置に関する。
【０００２】
【従来の技術】
被写体画像を電気変換し静止画像情報として半導体メモリ或いは磁気ディスク等の記憶媒体に記憶させて撮影するカメラが、いわゆる電子スチルカメラやデジタルビデオカメラなどとして広く知られている。
【０００３】
そして、この種のカメラは、撮影する被写体を観察するため、電子ビュ−ファィンダを備えたものの他に、被写体画像を画面に映し出すモニタ・ディスプレイ装置を備えたものがある。
【０００４】
このモニタ・ディスプレイ装置（以下、単にモニタという）は、例えば、被写体画像信号を供給する液晶表示デバイスと、この液晶表示デバイスの裏側に配設されたバックライト（螢光放電管）とを備え、バックライトの照明によって液晶表示デバイスの画面上に被写体画像を映し出す構成となっている。
【０００５】
なお、このようなモニタは、撮影しようとする被写体画像の表示の他に、記憶媒体に一旦記憶させた被写体画像情報を読み出し、その被写体画像を表示させることができる。
【０００６】
また、上記したカメラは、被写界が暗く被写体の明るさが不足する場合、被写体照明を行なって撮影するフラッシュ装置を備えたカメラがある。
【０００７】
このフラッシュ装置（以下、単にフラッシュという）は、シャッタレリ−ズにしたがってトリガ−されるキセノン放電管がメインコンデンサの充電電荷を受けて発光する構成となっている。
【０００８】
【発明が解決しようとする課題】
上記したカメラは、モニタのバックライトを点灯させる電源回路と、フラッシュのメインコンデンサを予め充電する電源回路とを別々に備えている。
具体的には、バックライトの電源回路としてインバ−タが、フラッシュ装置の電源回路としてコンバ−タが各々設けられている。
【０００９】
その結果、このような電源回路のための部品点数と部品組付け作業が増加し、カメラ生産のロ−コスト化に好ましくなく、また、このような回路部品の組付けスペ−スのためにカメラの小形化に困難を伴なうと言う問題があった。
【００１０】
そこで本発明では、従来の上記したようなカメラが、モニタのバックライトの電源回路としてインバ−タを、フラッシュの電源回路としてコンバ−タを備えていることにかんがみ、これらを共用できる一つの電源回路として上記した問題点を可能なる限り解決することを目的とする。
【００１１】
【課題を解決するための手段】
上記した目的を達成するため、本発明では、撮影する被写体画像をバックライトの照明を利用して映し出すモニタ手段と、被写体照明を行なうフラッシュ手段とを備え、撮影した被写体画像を記憶媒体に記憶させるカメラにおいて、直流低電圧を発振動作によって昇圧して交番電圧を出力する電圧昇圧手段と、この電圧昇圧手段の出力電圧を上記バックライトの点灯電圧として、また、その出力電圧を整流して上記フラッシュ手段の充電電圧として給電する各回路手段と、フラッシュ手段の充電電圧が所定電圧まで充電されることによる充電停止回路の充電停止動作に応動して上記フラッシュ手段の充電電流を遮断し、フラッシュ手段の充電モ−ドからバックライトの点灯モ−ドに切換えるモ−ド切換手段と、このモ−ド切換手段がバックライトの点灯モ−ドに切換える切換動作に応動して動作状態とする調光手段とを備え、バックライトの点灯モ−ドでの操作部の設定にしたがって上記した電圧昇圧手段の出力電圧レベルを変えてバックライトの明るさを調光する構成としたことを特徴とするカメラのモニタとフラッシュの給電装置を提案する。
【００１２】
【作用】
このように構成した給電装置は、モ−ド切換手段によってバックライトの給電回路手段に切換えられれば、バックライトが点灯し被写体画像がモニタ手段により映し出される。
このとき、フラッシュ手段の充電が停止状態となっている。
【００１３】
また、モ−ド切換手段によってフラッシュ手段の給電回路手段に切換えられれば、フラッシュ手段のメインコンデンサが充電される。
この場合は、バックライトが非点灯状態となる。
【００１４】
上記したモ−ド切換手段は、フラッシュ手段の給電回路にのみスイッチング手段を設け、このスイッチング手段を導通制御してフラッシュ手段の充電モ−ドとし、また、それを非導通制御してバックライトの点灯モ−ドとすることができる。
【００１８】
さらに、この給電装置は、バックライトの点灯モ−ドに切換えると、調光手段が動作状態となり、この調光手段の操作部を操作してバックライトの明るさを変えることができる。
つまり、調光手段の操作部の設定にしたがって電圧昇圧手段の出力電圧レベルが変わり、バックライトが調光される。
【００１９】
調光手段はモ−ド切換手段の切換動作に伴って動作状態に移行させる構成とする。
また、この調光手段については、電圧昇圧手段として入力電流を断続させて発振動作させる昇圧トランスを設け、上記入力電流を操作部の設定にしたがって所定の時間々隔で間欠制御する入力電流制御手段によって構成することができる。
【００２０】
【発明の実施の形態】
次に、本発明の実施形態について図面に沿って説明する。
図１は給電装置の第１実施形態を示す回路図である。なお、この図面は撮影した被写体画像情報を半導体メモリ、磁気ディスクなどの記憶媒体に記憶させる構成のカメラに備えるモニタとフラッシュの電源回路について示してある。
【００２１】
この図において、１０は昇圧トランスであり、これは入力コイル１０Ｐ、出力コイル１０Ｓ、フィ−ドバックコイル１０Ｆを備えたフライバックトランスとなっている。
この昇圧トランス１０が発振用のトランジスタ１１、起動抵抗１２、ベ−ス抵抗１３とコンデンサ１４と共にインバ−タを形成しており、電池電源１５の直流電圧を昇圧して高電圧を出力する。
【００２２】
昇圧トランス１０の出力コイル１０Ｓには液晶表示デバイスのバックライト１６を接続した給電回路を設け、出力コイル１０Ｓ全体の出力電圧（インバ−タ出力）によってバックライト１６を点灯させるようになっている。
なお、バックライト１６は冷陰極の螢光放電管である。
【００２３】
また、昇圧トランス１０の出力コイル１０Ｓに設けた中間タップＱには整流用ダイオ−ド１７を介してフラッシュのメインコンデンサ１８を接続した給電回路が設けてある。
メインコンデンサ１８は、キセノン放電管１９、トリガ−回路２０と共に公知のフラッシュ回路を形成している。
【００２４】
つまり、昇圧トランス１０の出力電圧を整流用ダイオ−ド１７によって整流してフラッシュを充電するコンバ−タ回路として動作する構成となっている。
トリガ−回路２０は、トリガ−コンデンサ２１、トリガ−トランス２２、充電抵抗２３より構成してある。
【００２５】
メインコンデンサ１８に直列接続したＳＣＲ２４は、フラッシュの充電と非充電とを切換えるモ−ド切換手段を形成し、このＳＣＲ２４の導通によってフラッシュの充電モ−ドとなり、その非導通でバックライトの点灯モ−ドに切換わる。
【００２６】
なお、このＳＣＲ２４はコントロ−ラ２５が出力するＨｉｇｈレベルのモ−ド切換信号Ｓ１をゲ−ト入力して導通し、そのモ−ド切換信号Ｓ１がＬｏｗレベルとなることによって非導通となる。
なお、コントロ−ラ２５は、ＣＰＵなどからなる制御回路構成となっている。
【００２７】
メインコンデンサ１８に接続したツエナ・ダイオ−ド２６と、このツエナ・ダイオ−ド２６に直列接続した抵抗２７、２８と、これら抵抗２７、２８の接続部ａにゲ−ト接続したＦＥＴ２９は、メインコンデンサ１８の充電検出回路を形成している。
なお、ＦＥＴ２９はＮチャンネルのＭＯＳ型電界効果トランジスタである。
すなわち、メインコンデンサ１８が充電されている間はＦＥＴ２９のドレ−ンにＨｉｇｈレベルの充電検出信号Ｓ２がコントロ−ラ２５より供給されている。
【００２８】
そして、メインコンデンサ１８が予め定めた所定電圧まで充電されたとき、ツエナ・ダイオ−ド２６が導通し、この結果、抵抗２８に発生する電圧がＦＥＴ２９のゲ−トに加わり、このＦＥＴ２９が導通し、その導通により充電検出信号Ｓ２がＬｏｗレベルに変化し、充電停止信号としてコントロ−ラ２５に入力する。
【００２９】
コントロ−ラ２５はＬｏｗレベルの充電検出信号Ｓ２を入力することにより、上記したＨｉｇｈレベルのモ−ド切換信号Ｓ１をＬｏｗレベルに変化させてＳＣＲ２４を非導通制御する。
なお、ＳＣＲ２４にはメインコンデンサ１８を充電する半波整流の充電々流が流れるため、Ｌｏｗレベルのモ−ド切換信号Ｓ１がゲ−ト入力している状態でアノ−ド〜カソ−ド間電圧が零電圧となったとき非導通となる。
【００３０】
また、ＳＣＲ３０はシャッタレリ−ズにしたがってコントロ−ラ２５より出力されるトリガ−信号Ｓ０をゲ−ト入力して導通し、トリガ−回路２０を動作させるものである。
なお、トリガ−回路２０はＳＣＲ３０の導通によってトリガ−トランス２２が動作し、トリガ−トランス２２から出力する高電圧の励起電圧によってキセノン放電管１９を発光起動させる。
【００３１】
さらに、上記した給電装置は、バックライト１６の明るさを操作設定によって変えることができる調光回路（調光用ＩＣ）３１を備えている。
この調光回路３１は、ダイオ−ド３２を介して充電されるコンデンサ３３の充電々圧によって給電されるが、コントロ−ラ２５から送られる調光制御信号Ｓ３を入力して動作状態となる。
【００３２】
調光制御信号Ｓ３はフラッシュが充電されている充電モ−ドの間はＨｉｇｈレベルとなっているが、ＦＥＴ２９の導通により充電検出信号Ｓ２がＬｏｗレベルに変化することにより、コントロ−ラ２５が調光制御信号Ｓ３をＬｏｗレベルに変化させ、このＬｏｗレベルの調光制御信号Ｓ３によって調光回路３１が動作状態に移る。
【００３３】
つまり、充電検出信号Ｓ２がＬｏｗレベルとなると、モ−ド切換信号Ｓ１がＬｏｗレベルとなってＳＣＲ２４が非導通となり、フラッシュの充電モ−ドからバックライトの点灯モ−ドに切換わるが、上記調光制御信号Ｓ３が充電検出信号Ｓ２のＬｏｗレベル変化でＬｏｗレベルとなることから、調光回路３１がバックライトの点灯モ−ドに切換わることで動作状態に移る。
【００３４】
調光回路３１は、コンデンサ３４と可変抵抗３５の設定によって５００Ｈｚ〜１０ＫＨｚの範囲で発振する構成となっており、そして、操作部となっている可変抵抗３６の操作設定にしたがい１０〜１００％のデュ−テイ比の調光パルス信号Ｓ４がトランジスタ３７のＯＮ、ＯＦＦより出力するように構成してある。
【００３５】
調光パルス信号Ｓ４はデュ−テイ比に応じて発振用トランジスタ１１のベ−ス電流を制限し、このトランジスタ１１のＯＮ、ＯＦＦ時間を間欠制御することから、この間欠制御により昇圧トランス１０の出力電圧レベルが変わり、バックライト１６の明るさが調光される。
【００３６】
次に、上記した給電装置の動作について図２に示したタイムチャ−トを参照しながら説明する。
電源スイッチ３８を投入すると、コントロ−ラ２５が電源スイッチ３８の投入に応動してＨｉｇｈレベルの各信号Ｓ１、Ｓ２、Ｓ３を出力する。（図２（Ａ）、（Ｂ）、（Ｃ）、（Ｅ）参照）
これより、ＳＣＲ２４が導通可能状態に移行し充電モ−ドとなる。また、調光回路３１が非動作状態に保持される。
【００３７】
また、電源スイッチ３８の投入により、起動抵抗１２を通る電源電流が起動電流として発振用トランジスタ１１のベ−スに流れ、このトランジスタ１１がＯＮする。
これより、昇圧トランス１０の入力コイル１０Ｐに電源電流が流れる。
【００３８】
このとき昇圧トランス１０の出力コイル１０Ｓに発生する出力電圧は方形状電圧となり、その出力電圧が数十ボルト〜数百ボルトとなるため、バックライト１６を点灯させる点灯電圧（数千ボルト）には達しないから、このバックライト１６は点灯しない。
また、その出力電圧によって流れる出力電流はダイオ−ド１７に対して逆向きとなり、その整流作用によって阻止され、フラッシュには流れない。
したがって、昇圧トランス１０が入力コイル電流が流れることによって磁気エネルギ−を蓄える。
【００３９】
発振用トランジスタ１１は、昇圧トランス１０が備えるコアの磁気飽和やトランジスタの飽和によってＯＮからＯＦＦに向かう。
このとき昇圧トランス１０の各コイルは図示矢印向きの電圧が発生する。
【００４０】
すなわち、フィ−ドバックコイル１０Ｆに発生した帰還電圧をベ−スに受ける発振用トランジスタ１１が確実にＯＦＦに反転する。
また、出力コイル１０Ｓには高電圧（数千ボルト）のフライバック電圧が発生し、このフライバック電圧によってダイオ−ド１７には順方向の出力電流が流れる。
【００４１】
つまり、出力コイル部分１０Ｓ１、ダイオ−ド１７、メインコンデンサ１８、ＳＣＲ２４のル−プで充電々流が流れ、メインコンデンサ１８が充電される。
出力コイル１０Ｓの全体の出力電圧は、このように流れる充電々流のために降下し、この結果、バックライト１６が消灯したままとなる。
【００４２】
フライバック電圧は昇圧トランス１０の磁気エネルギ−の減少によって消失し、同様にフィ−ドバックコイル１０Ｆの帰還電圧も消失するため、発振用トランジスタ１１のベ−スに起動電流が流れ、このトランジスタ１１が再度ＯＮする。
【００４３】
したがって、昇圧トランス１０が入力コイル電流によって磁気エネルギ−を蓄え、発振用トランジスタ１１のその後のＯＦＦによってフライバック電圧を出力し、メインコンデンサ１８を充電する。
上記のようにメインコンデンサ１８が充電される充電モ−ドでは、調光回路３１が非動作状態となっているため、調光パルス信号Ｓ４が出力されない。
この結果、発振用トランジスタ１１のＯＮ、ＯＦＦ動作が制限されないから、出力コイル部分１０Ｓ１にはフル電圧のフライバック電圧が発生し、フラッシュ充電が効率よく行なわれる。
【００４４】
昇圧トランス１０が上記のように発振動作することにより、メインコンデンサ１８がコンバ−タ回路作用によって充電され、この充電々圧が所定値に達することにより、ツエナ・ダイオ−ド２６が導通する。
【００４５】
これより、ＦＥＴ２９の導通により、充電検出信号Ｓ２がＬｏｗレベルに変化し、この信号Ｓ２がコントロ−ラ２５に送られる。（図２（Ｄ）、（Ｅ）参照）コントロ−ラ２５はこの充電検出信号Ｓ２に応動してモ−ド切換信号Ｓ１と調光制御信号Ｓ３とをＬｏｗレベルに変化させる。（図２（Ｂ）、（Ｃ）参照）
つまり、モ−ド切換信号Ｓ１をＬｏｗレベルに変化させてＳＣＲ２４を非導通に移行さてフラッシュの充電モ−ドからバックライトの点灯モ−ドに切換える。
また、コントロ−ラ２５が調光制御信号Ｓ３をＬｏｗレベルに変化させて調光回路３１を動作状態に移行させる。
【００４６】
これによって、フラッシュの充電が停止するため、出力コイル部分１０Ｓ１の出力電圧が上昇し、昇圧トランス１０の出力コイル部分１０Ｓ１、１０Ｓ２から出力する出力電圧が急上昇し、この出力電圧によってバックライト１６が点灯する。この点灯により被写体画像がモニタに映し出される。（図２（Ｆ）参照）
なお、バックライト１６がフラッシュの充電停止によって点灯するが、このときはインバ−タ回路動作となる。
【００４７】
また、このように点灯したバックライト１６は、可変抵抗３６を操作設定して調光することができる。
バックライト１６の点灯モ−ドでは、可変抵抗３６を可変操作して調光回路３１のトランジスタ３７のＯＮ、ＯＦＦ時間を変え、このトランジスタ３７が出力する調光パルス信号Ｓ４のデュ−ティ比を変えるとができる。
【００４８】
調光パルス信号Ｓ４は発振用トランジスタ１１のベ−スに加わり、このトランジスタ１１のＯＮ、ＯＦＦ繰返し時間を間欠制御するため、昇圧トランス１０の出力電圧レベルが可変抵抗３６の操作設定にしたがって変化し、バックライト１６の明るさが変わる。（図２（Ｇ）参照）
【００４９】
具体的には、発振トランジスタ１１は、例えば、３０ＫＨｚの周波数でＯＮ、ＯＦＦを繰返すので、このトランジスタ１１のＯＮ、ＯＦＦが周波数５００Ｈｚ〜１０ＫＨｚの調光パルス信号Ｓ４にしたがって制御される。
【００５０】
したがって、可変抵抗３６を操作設定してバックライト１６を調光することにより、モニタ観察に適当な明るさに調整することができる。
【００５１】
フラッシュ撮影を行なう場合は、バックライト１６の点灯によりモニタに映し出された被写体画像を確認し、その状態でシャッタレリ−ズすれば、コントロ−ラ２５が出力するレリ−ズ信号Ｓ０によりＳＣＲ３０が導通し、キセノン放電管１９が発光する。（図２（Ｈ）参照）
【００５２】
このようにフラッシュ撮影することにより、メインコンデンサ１８の充電々荷が放電するから、ツエナ・ダイオ−ド２６、ＦＥＴ２９が非導通となり、充電検出信号Ｓ２がＨｉｇｈレベルに戻る。（図２（Ｄ）、（Ｅ）参照）
これより、コントロ−ラ２５がＨｉｇｈレベルの充電検出信号Ｓ２に応答しＨｉｇｈレベルのモ−ド切換信号Ｓ１を出力し、これより、ＳＣＲ２４を導通してフラッシュの充電動作に移る。（図２（Ｂ）、（Ｅ）参照）
【００５３】
この結果、フラッシュの充電が停止するまでの間バックライト１６が消灯し、その後、上記したようにこのバックライト１６が点灯し、モニタに被写体画像が映し出される。
【００５４】
上記したように、Ｈｉｇｈレベルのモ−ド切換信号Ｓ１でフラッシュの充電モ−ド、Ｌｏｗレベルのモ−ド切換信号Ｓ１でバックライトの点灯モ−ドとなるから、コントロ−ラ２５が操作スイッチ３９のスイッチ信号を入力してモ−ド切換信号Ｓ１をＬｏｗレベルに変える構成とすれば、フラッシュの充電中であっても操作スイッチ３９の操作にしたがってこのモ−ド切換信号Ｓ１をＨｉｇｈレベルからＬｏｗレベルに変えてバックライト１６を点灯させ、被写体画像をモニタに映し出すことができる。
【００５５】
また、Ｌｏｗレベルの充電検出信号Ｓ２は、フラッシュの発光準備が整ったことを示す充電停止信号、つまり、レディ信号となるから、この充電検出信号Ｓ２に応動させてカメラをフラッシュ撮影モ−ドに移行させる等の手段構成を備えることができる。
【００５６】
図３は第２実施形態として示した給電装置の回路図である。
この第２実施形態では、Ｈｉｇｈレベルの各信号Ｓ１、Ｓ２、Ｓ３を電池電源１５より供給し、さらに、充電検出信号Ｓ２がＬｏｗレベルとなることにより、モ−ド切換信号Ｓ１と調光制御信号Ｓ３とがＬｏｗレベルに変化して消失し、充電モ−ドから点灯モ−ドに切換わる構成となっている。
なお、抵抗４１、４２は限流抵抗である。
【００５７】
また、この第２実施形態では、昇圧トランス１０のフィ−ドバックコイル１０Ｆに並列接続したダイオ−ド４３とコンデンサ４４の直列回路体と、この直列回路体の接続部ｂと発振用トランジスタ１１のベ−スとを接続したツエナ・ダイオ−ド４５と、コンデンサ４４に並列接続した放電抵抗４６とで構成した出力電圧の定電圧回路が設けてある。
【００５８】
この定電圧回路は、コンデンサ４４がフィ−ドバックコイル１０Ｆに発生するフライバック電圧によって図示極性に充電されるため、このコンデンサ４４の充電々圧が大きくなると、ツエナ・ダイオ−ド４５が導通して発振用トランジスタ１１がＯＦＦ制御される。
【００５９】
つまり、昇圧トランス１０の出力電圧が増大すれば、フィ−ドバックコイル１０Ｆに発生するフライバック電圧も増大し、このフライバック電圧にしたがってコンデンサ４４が充電される。
これより、ツエナ・ダイオ−ド４５がコンデンサ４４の充電々圧に応じて導通するため、発振用トランジスタ１１のＯＮ時間が短縮するように制御され、昇圧トランス１０の出力電圧の増大が抑制される。
【００６０】
したがって、ツエナ・ダイオ−ド４５の定電圧値によって昇圧トランス１０の出力電圧値を定めることができる。
この実施形態では、バックライトの点灯モ−ドにおいて発生する昇圧トランス１０の出力電圧を定電圧化することができるツエナ・ダイオ−ド４５が用いられている。
【００６１】
なお、上記した定電圧回路は、電池電源１５の電圧変動に対してもバックライト１６の給電電圧を定電圧化することができる。
また、この第２実施形態の他の構成は図１に示した第１実施形態と同じ構成であるので、同一部品について同符号が付してある。
【００６２】
この実施形態では、電源スイッチ３８の投入によって電源電圧が各信号Ｓ１、Ｓ２、Ｓ３となって各回路に加わる。
つまり、Ｈｉｇｈレベルのモ−ド切換信号Ｓ１がＳＣＲ２４のゲ−トに加わり、調光制御信号Ｓ３がＨｉｇｈレベルとなって調光回路３１に供給される。
【００６３】
したがって、昇圧トランス１０が発振動作すると、中間タップＱより一方側の出力コイル部分１０Ｓ１に発生したフライバック電圧によってメインコンデンサ１８が充電される。
【００６４】
フライバック電圧は中間タップＱより一方側の出力コイル部分１０Ｓ１とその他方側の出力コイル部分１０Ｓ２とに発生するが、既に述べたようにフラッシュを充電しているために、出力コイル部分１０Ｓ１のフライバック電圧が降下することから、バックライト１６が消灯のままとなる。
なお、この充電モ−ドでは調光制御信号Ｓ３がＨｉｇｈレベルとなっていることから、調光回路３１が非動作状態となっている。
【００６５】
メインコンデンサ１８の充電々圧が所定値に達すると、充電検出信号Ｓ２がＬｏｗレベルとなり、これより、モ−ド切換信号Ｓ１がＬｏｗレベルに変化し、ＳＣＲ２４が非導通に反転し、また、調光制御信号Ｓ３がＬｏｗレベルに変化し、調光回路３１が動作状態となる。
【００６６】
これより、フラッシュの充電が停止し、昇圧トランス１０の出力コイル部分１０Ｓ１に発生するフライバック電圧が上昇する。
したがって、出力コイル部分１０Ｓ１、１０Ｓ２に発生した高電圧のフライバック電圧を受けてバックライト１６が点灯し、被写体画像がモニタに映し出される。
【００６７】
点灯モ−ドにおいて可変抵抗３６を操作設定することにより、バックライト１６の明るさを調光できること、また、モニタの表示状態でフラッシュ撮影すると、その後に充電モ−ドに移り、バツクライト１６が消灯すること等については第１実施形態と同様である。
また、第２実施形態に設けた定電圧回路は図１に示した第１実施形態についても同様に設けることができる。
【００６８】
図４は第３実施形態として示した給電装置の回路図である。
この第３実施形態は、昇圧トランス１０の入力コイル１０Ｐに入力する電源電流を断続するＦＥＴ（電界効果トランジスタ）５０と、このＦＥＴ５０をゲ−ト制御する制御用トランジスタ５１を備えたことが特徴となっており、その他の構成は図３に示す第２実施形態と同構成となっている。
【００６９】
図５は第４実施形態として示した給電装置の回路図である。
この第４実施形態では、フォトダイオ−ド６２とフォトＳＣＲ６０からなるフォトカプラ−を使用してモ−ド切換手段を構成した点に特徴がある。
【００７０】
すなわち、フラッシュの整流用ダイオ−ド１７に換えてフォトＳＣＲ６０を設け、また、電池電源１５には抵抗６１、フォトダイオ−ド６２、スイッチング動作用のトランジスタ６３の直列回路体を並列に接続して構成したモ−ド切換手段となっている。
その他は図３に示した第２実施形態と同じ構成であるが、ただ、この第４実施形態ではモ−ド切換手段を上記のように構成したことからＳＣＲ２４は必要としない。
【００７１】
この第４実施形態は、電源スイッチ３８を投入すると、電源電圧がモ−ド切換信号Ｓ１としてトランジスタ６３のベ−スに加わり、このトランジスタ６３がＯＮする。
これより、フォトダイオ−ド６２が発光し、フォトＳＣＲ６０がその発光を受けて導通し、フラッシュの充電モ−ドとなり、昇圧トランス１０の発振動作によって発生した出力コイル部分１０Ｓ１のフライバック電圧によってメインコンデンサ１８が充電される。
【００７２】
メインコンデンサ１８が所定電圧まで充電されると、既に述べたように、ＦＥＴ２９が導通してＨｉｇｈレベルの充電検出信号Ｓ２がＬｏｗレベルとなり、このため、モ−ド切換信号Ｓ１がＬｏｗレベルとなり、トランジスタ６３がＯＦＦする。
これより、フォトダイオ−ド６２が消光し、フォトＳＣＲ６０が非導通となりフラッシュの充電が停止し、バックライトの点灯モ−ドとなる。
【００７３】
すなわち、昇圧トランス１０の出力コイル部分１０Ｓ１の出力電圧が上昇することから、出力コイル部分１０Ｓ１、１０Ｓ２に発生するフライバック電圧を受けてバックライト１６が点灯し、被写体画像がモニタに映し出される。
その他は図３に示した第２実施形態と同様の動作となる。
【００７４】
図６は第５実施形態として示した給電装置の回路図である。
この第５実施形態では、昇圧トランス７０が入力コイル７０Ｐ、出力コイル７０Ｓ、フィ−ドバックコイル７０Ｆを備えたフォ−ワ−ドタイプのトランスとなっている。
【００７５】
このタイプの昇圧トランス７０は、フラッシュの充電動作において出力コイル部分７０Ｓ１の出力電圧が降下するが、その降下の程度が少ないので、フラッシュの充電モ−ドとバックライトの点灯モ−ドにしたがって巻線比を変える構成としてある。
【００７６】
すなわち、昇圧トランス７０の入力コイル７０Ｐに中間タップＰを設け、この中間タップＰより一方側の入力にコイル部分７０Ｐ１に電源電流を入力させて点灯モ−ド、入力コイル部分７０Ｐ１、７０Ｐ２に電源電流を入力させて充電モ−ドとなるように巻線比が変えられる。
【００７７】
この図において、ＦＥＴ７１は入力コイル部分７０Ｐ１、７０Ｐ２に入力する電源電流を断続させる発振用のスイッチング素子で、ＦＥＴ７２は一方側の入力にコイル部分７０Ｐ１に入力する電源電流を断続させる発振用のスイッチング素子である。
なお、これらＦＥＴ７１、７２は共にＰチャンネルのＭＯＳ型電界効果トランジスタである。
【００７８】
ＦＥＴ７１、７２のゲ−トに接続したトランジスタ７３、７４は、これらＦＥＴ７１、７２を導通、非導通させるための制御用のスイッチング素子で、起動抵抗７５、７６を通って流れる起動電流をベ−ス入力してＯＮし、また、昇圧トランス７０のフィ−ドバックコイル７０Ｆによって帰還作用を受けるようになっている。
【００７９】
また、制御用のトランジスタ７３、７４各々のベ−ス〜エミッタ間に接続したトランジスタ７７、７８は、巻線比切換信号Ｓ３、Ｓ４をベ−ス入力して交互にＯＮする巻線比切換用のものである。
【００８０】
つまり、コントロ−ラ７９が出力する巻線比切換信号Ｓ３、Ｓ４によってトランジスタ７８をＯＮ、トランジスタ７７をＯＦＦに保てば、制御用のトランジスタ７４がＯＦＦのままとなり、制御用トランジスタ７３がＯＮ、ＯＦＦを繰返す。
【００８１】
したがって、ＦＥＴ７１が導通、非導通を繰返し、ＦＥＴ７２が非導通を保持する。
これより、昇圧トランス７０が入力コイル７０Ｐ全体に流れる電源電流によって発振し、巻線比が減少する。
【００８２】
上記とは反対に、トランジスタ７７をＯＮし、トランジスタ７８をＯＦＦに保てば、上記同様にしてＦＥＴ７１が非導通を保持し、ＦＥＴ７２が導通、非導通を繰返す。
これより、昇圧トランス７０が入力コイル部分７０Ｐ１に流れる電源電流によって発振し、巻線比が増大する。
【００８３】
この第５実施形態は上記のようにフォ−ワ−ドタイプの昇圧トランス７０の巻線比をモ−ド切換にしたがって変える構成となってるが、その他の構成は図５に示した第４実施形態と同じ構成となっている。
【００８４】
上記した給電装置は、電源スイッチ３８を投入すると、図７に示すタイムチャ−ト（Ａ）、（Ｂ）、（Ｃ）、（Ｅ）のように、コントロ−ラ７９がＨｉｇｈレベルの切換信号Ｓ１、Ｓ４と充電検出信号Ｓ２とを出力する。
なお、この時点では図７（Ｆ）に示すように、切換信号Ｓ３はＬｏｗレベルとなっている。
【００８５】
これより、トランジスタ６３がＯＮしてフォト・ダイオ−ド６２が発光し、フォトＳＣＲ６０が導通するからフラッシュの充電モ−ドとなる。
また、トランジスタ７８がＯＮ状態となることから、ＦＥＴ７２が非導通を保ち、ＦＥＴ７１がＯＮ、ＯＦＦを繰返すようになる。
【００８６】
したがって、昇圧トランス７０の入力コイル７０Ｐ全体に電源電流が流れる巻線比の減少動作で発振しメインコンデンサ１８を充電する。
なお、このように巻線比を減少させた昇圧トランス７０の出力電圧ではバックライト１６が点灯しない。
【００８７】
メインコンデンサ１８が所定電圧まで充電されたとき、図７（Ｅ）に示すようにＨｉｇｈレベルの充電検出信号Ｓ２がＬｏｗレベルに変化し、コントロ−ラ７９がこの充電検出信号Ｓ２に応動して、切換信号Ｓ１、Ｓ４をＨｉｇｈレベルからＬｏｗレベルに変え、また、Ｈｉｇｈレベルの切換信号Ｓ３を出力する。（図７（Ｂ）、（Ｃ）、（Ｆ）参照）
【００８８】
これより、トランジスタ６３がＯＦＦ、フォトダイオ−ド６２が消光、フォトＳＣＲ６０が非導通となってバックライトの点灯モ−ドとなる。
また、トランジスタ７７がＯＮ状態となることから、ＦＥＴ７１が非導通を保ち、ＦＥＴ７２が導通、非導通を繰返す。
【００８９】
この結果、昇圧トランス７０には中間タップＰより電源電流が入力し、入力コイル部分７０Ｐ１に電源電流が流れる巻線比の増大状態となる。
昇圧トランス７０がこのように巻線比を増大させた状態で発振動作し、その出力電圧によってバックライト１６が点灯する。（図７（Ｇ）参照）
この第５実施形態の他の動作は上記した各実施形態と同様となるが、バックライト１６を調光する場合は、点灯モ−ドに切換わった後に、切換信号Ｓ３に変えて調光パルス信号を供給する。
なお、第５実施形態はフォトカプラに変えて図１、図３に示すＳＣＲ２４のモ−ド切換手段を設けてもよい。
【００９０】
【発明の効果】
上記した通り、本発明に係る給電装置は、モニタのバックライトを点灯させるインバ−タ電源回路と、フラッシュを充電するコンバ−タ電源回路とを一つの電圧昇圧手段で構成したので、モニタとフラッシュの電源部の構成が簡単となり、カメラの小形化と生産のロ−コスト化に極めて有利となると共に、フラッシュの充電モ−ドでは非動作状態となり、バックライトの点灯モ−ドで動作状態に移るバックライトの調光手段を備えたので、モニタの明るさを任意に調整することができる。
【図面の簡単な説明】
【図１】第１実施形態を示す給電装置の回路図である。
【図２】第１実施形態の動作を説明するためのタイムチャ−トである。
【図３】第２実施形態を示す給電装置の回路図である。
【図４】第３実施形態を示す給電装置の回路図である。
【図５】第４実施形態を示す給電装置の回路図である。
【図６】第５実施形態を示す給電装置の回路図である。
【図７】第５実施形態の動作を説明するためのタイムチャ−トである。
【符号の説明】
１０  フライバックタイプの昇圧トランス
１１  発振用トランジスタ
１６  モニタのバックライト
１８  メインコンデンサ
１９  キセノン放電管
２４  モ−ド切換手段を構成するＳＣＲ
２５  コントロ−ラ
２９  充電検出信号Ｓ２を発生するＦＥＴ
３１  調光回路
３６  操作部としての可変抵抗
４３  定電圧回路を構成するダイオ−ド
４４  定電圧回路を構成するコンデンサ
４５  定電圧回路を構成するツエナ・ダイオ−ド
６０  フォトカプラを構成するフォトＳＣＲ
６２  フォトカプラを構成するフォトダイオ−ド
７０  フォ−ワ−ドタイプの昇圧トランス
７１、７２  発振用のＦＥＴ
７９  コントロ−ラ
【図１】
0003817838.tif 000002
【図２】
0003817838.tif 000003
【図３】
0003817838.tif 000004
【図４】
0003817838.tif 000005
【図５】
0003817838.tif 000006
【図６】
0003817838.tif 000007
【図７】
0003817838.tif 000008